(57)【要約】【課題】通気層付外断熱パネルの外装板相互の目地に目地埋め材を充填し強固にパネル同士を接着することにより当該目地を跨いでタイル施工可能とする。【解決手段】断熱パネルと外装板とを通気層を介在させて一体化した通気層付外断熱パネル、又は、断熱パネルと外装板の間に通気層を設ける通気層工法における外装板相互の目地に充填するための目地埋め材であって、硬化後の圧縮強度及び引張強度が断熱パネルの圧縮強度及び引張強度以上であり、剥離強度が断熱パネルの材料破壊強度以上であり、かつ、硬化後に外部に出る物質を含まない。この目地埋め材を用い、通気層付外断熱パネルの外装板上にタイルを施工する方法であって、隣り合う外装板相互の目地に目地埋め材を充填し、目地埋め材の硬化後、目地の部分及び外装板上にタイル接着剤を塗布し、その上に目地の位置とは関係なくタイルを位置決めして貼り付ける。【選択図】図１
2017031756.tif 000002
【特許請求の範囲】
【請求項１】
断熱パネルと外装板とを通気層を介在させて一体化した通気層付外断熱パネルにおける該外装板相互、又は、断熱パネルと外装板の間に通気層を設ける通気層工法における該外装板相互の目地に充填するための目地埋め材であって、
硬化後に、剛体となりかつ外部に出る物質を含まないことを特徴とする、通気層を有する構成における外装板の目地埋め材。
【請求項２】
前記目地埋め材の硬化後の圧縮強度及び引張強度が、前記外装板の圧縮強度及び引張強度以上であるとともに剥離強度が前記外装板の材料破壊強度以上であることを特徴とする請求項１に記載の、通気層を有する構成における外装板の目地埋め材。
【請求項３】
前記目地埋め材がエポキシ系接着剤であることを特徴とする請求項１又は２に記載の、通気層を有する構成における外装板の目地埋め材。
【請求項４】
請求項１〜３のいずれかに記載の目地埋め材を用い、断熱パネルと外装板とを通気層を介在させて一体化した通気層付外断熱パネルの該外装板上にタイルを施工する方法であって、
隣り合う前記外装板相互の目地に前記目地埋め材を充填し、
前記目地埋め材の硬化後、前記外装板相互の目地の部分及び前記外装板の上にタイル接着剤を塗布し、その上に前記目地の位置とは関係なくタイルを位置決めして貼り付けることを特徴とする
通気層付外断熱パネルにおける外装板上へのタイル施工方法。
【請求項５】
請求項１〜３のいずれかに記載の目地埋め材を用い、断熱パネルと外装板の間に通気層を設ける通気層工法を行った後に該外装板上にタイルを施工する方法であって、
隣り合う前記外装板相互の目地に前記目地埋め材を充填し、
前記目地埋め材の硬化後、前記外装板相互の目地の部分及び前記外装板の上にタイル接着剤を塗布し、その上に前記目地の位置とは関係なくタイルを位置決めして貼り付けることを特徴とする
通気層工法における外装板上へのタイル施工方法。
【請求項６】
請求項１〜３のいずれかに記載の目地埋め材を用い、断熱パネルと外装板とを通気層を介在させて一体化した通気層付外断熱パネルにおける該外装板、又は、断熱パネルと外装板の間に通気層を設ける通気層工法における該外装板を塗装仕上げする方法であって、
隣り合う前記外装板相互の目地に前記目地埋め材を充填し、
前記目地埋め材の硬化後、前記外装板相互の目地の部分及び前記外装板の上に塗装することを特徴とする外装板の塗装仕上げ方法。
【発明の詳細な説明】
【技術分野】
【０００１】
本発明は、通気層付外断熱パネル又は通気層工法等の通気層を有する構成における外装板相互の目地に充填する目地埋め材及びこれを用いた工法に関する。
【背景技術】
【０００２】
特許文献１は、断熱パネルと外装板の間に通気層を介在させて一体化した通気層付きの外断熱複合パネル（以下、この種の複合パネルを「通気層付外断熱パネル」と称する）を開示する。通気層付外断熱パネルは、現在、外装板の種類や通気層の形状などの違いによって様々な製品が流通している。外断熱パネルが通気層を有することにより、外装板の裏面が外気と連通することができる。これにより、外断熱パネルを構成する層構成内部における水分（室内からの貫流透湿や内部に侵入した雨水等）の停滞がなくなり、その結果、停滞した水分の凍結による凍害が解消される。
【０００３】
一方、一般的な仕上げ施工として、外装板を下地としてタイル施工する場合がある。タイル施工の接着剤には「外装タイル張り用有機系接着剤（JIS A5557）」（以下、「タイル接着剤」と称する）が使用される。このタイル接着剤は透湿性が低く、タイル自体も透湿性が無い。従って、水分を停滞させないためには、タイル下地とする外装板の躯体側には、通気層を有する構成が必須であるといえる。「通気層を有する構成」とは、例えば上記の通気層付外断熱パネルや通気層工法である。従って、タイル下地となり得る外装板は、例えば通気層付外断熱パネル又は通気層工法における構成要素の１つである外装板ということになる。
【０００４】
図４は、一例として通気層付外断熱パネルの外装板に窯業系タイルを施工する従来工法を示した水平断面図である。コンクリート躯体３０に通気層付外断熱パネル１０が固定されている。通気層付断熱パネル１０は、断熱材１２と外装板１４が接合されて一体化され、これらの間の適宜箇所に上下左右方向に貫通する通気層１３が形成された製品である。隣り合う通気層付外断熱パネル１０相互の継ぎ目には適宜の隙間（目地）が設けられる。断熱材１２相互の目地には、目地棒１５を挟み込み、雇い実材１６を差し渡す。また外装板１４相互の目地には、防水のための目地埋め材としてシーリング材１１１を充填する。従来のシーリング材１１１は弾力のある柔軟性を備えており、地震力や外装板の熱膨張等による外装板１４の動きを吸収することができる。すなわち従来の目地埋め材は、動くことを前提としたワーキングジョイントである。
【０００５】
一方、外装材１４の表面に塗布されるタイル接着剤２２上に貼られるタイル２４は剛体である。タイル目地モルタル２３もまた柔軟性のない固体である（但し、外装材１４の目地を跨ぐ部分のみはワーキングジョイントとするためタイル目地シーリング材２５とする）。従って、外装板１４のシーリング材１１１の動きからタイル２４及びタイル目地モルタル２３を物理的に絶縁する緩衝材として、所定の幅の不織布付ブチルゴムテープ１２１（以下、「ブチルテープ」と称する）が設けられる。ブチルテープ１２１は、外装板１４の目地に沿ってシーリング材１１１の表面に貼られる。ブチルテープ１２１は、シーリング材１１１に含まれる可塑剤がタイル接着剤２２に浸透することを防止する化学的な絶縁の役割も果たす。可塑剤が浸透するとタイル接着剤２２の変色や強度低下を引き起こす。このようにブチルテープ１２１は、シーリング材１１１からタイル２４、タイル目地モルタル２３及びタイル接着剤２２を物理的及び化学的に絶縁するために設けられる。
【先行技術文献】
【特許文献】
【０００６】
【特許文献１】特許第４００９２４９号公報
【発明の概要】
【発明が解決しようとする課題】
【０００７】
上記の通気層を有する構成の外装板にブチルテープを用いて行うタイル施工には、以下のような問題点がある。
【０００８】
先ず、図４に示すように、外装板１４の目地を跨いでタイル２４を貼ることができないという問題がある。これは、タイル施工上の規定として、外装板１４の目地（シーリング材１１１）の左側のタイル２４の一部２４ａと、右側のタイル２４の一部２４ｂの双方がブチルテープ１２１の上に掛かっていなければならないと定められているからである。このことは、タイル２４の位置が、外装板１４の目地の位置により制約を受けることを意味し、施工の自由度及び作業効率を大きく低下させる。
【０００９】
また、ブチルテープ自体にも、施工性が悪く、付着強度及び長期耐久性が低いという問題点がある。これらの問題点は、特に冬期など低温下において著しい。
【００１０】
本発明は、通気層を有する構成の外装板にブチルテープを用いて行うタイル施工における上記の問題点を鑑みなされたものである。本発明の目的は、通気層を有する構成の外装板の目地埋め材であって、ブチルテープを用いることなく、剛体であるタイルに不測の動きが伝わらずかつタイル接着剤に好ましくない物質が浸透しないようにすることである。また、本発明の目的は、このような目地埋め材を用いることにより、外装材の目地の位置に制約されない施工方法を提供することである。
【課題を解決するための手段】
【００１１】
上記目的を達成するために本発明は、以下の構成を提供する。
本発明の第１の態様は、断熱パネルと外装板とを通気層を介在させて一体化した通気層付外断熱パネルにおける該外装板相互、又は、断熱パネルと外装板の間に通気層を設ける通気層工法における該外装板相互の目地に充填するための目地埋め材であって、
硬化後に、剛体となりかつ外部に出る物質を含まないことを特徴とする。
この態様において、前記目地埋め材の硬化後の圧縮強度及び引張強度が、前記外装板の圧縮強度及び引張強度以上であるとともに剥離強度が前記外装板の材料破壊強度以上であることが好適である。
またこの態様において、前記目地埋め材がエポキシ系接着剤であることが好適である。
【００１２】
本発明の第２の態様は、上記の目地埋め材を用い、断熱パネルと外装板とを通気層を介在させて一体化した通気層付外断熱パネルの該外装板上にタイルを施工する方法であって、
隣り合う前記外装板相互の目地に前記目地埋め材を充填し、
前記目地埋め材の硬化後、前記外装板相互の目地の部分及び前記外装板の上にタイル接着剤を塗布し、その上に前記目地の位置とは関係なくタイルを位置決めして貼り付けることを特徴とする。
【００１３】
本発明の第３の態様は、上記の目地埋め材を用い、断熱パネルと外装板の間に通気層を設ける通気層工法を行った後に該外装板上にタイルを施工する方法であって、
隣り合う前記外装板相互の目地に前記目地埋め材を充填し、
前記目地埋め材の硬化後、前記外装板相互の目地の部分及び前記外装板の上にタイル接着剤を塗布し、その上に前記目地の位置とは関係なくタイルを位置決めして貼り付けることを特徴とする。
【００１４】
本発明の第４の態様は、上記の目地埋め材を用い、断熱パネルと外装板とを通気層を介在させて一体化した通気層付外断熱パネルにおける該外装板、又は、断熱パネルと外装板の間に通気層を設ける通気層工法における該外装板を塗装仕上げする方法であって、
隣り合う前記外装板相互の目地に前記目地埋め材を充填し、
前記目地埋め材の硬化後、前記外装板相互の目地の部分及び前記外装板の上に塗装することを特徴とする。
【発明の効果】
【００１５】
本発明による通気層を有する構成における外装板の目地埋め材は、硬化後に剛体となり、さらに好適には硬化後の圧縮強度及び引張強度が外装板の圧縮強度及び引張強度以上であるとともに剥離強度が外装板の材料破壊強度以上であるので、地震力や外装板の熱膨張等によっても目地埋め材が動かずかつ強固な付着強度を具備する。すなわち本発明の目地埋め材は、動かないことを前提としたノンワーキングジョイントである。目地埋め材が不動であるので、その上のタイル及びタイル目地モルタルに動きが伝達されることはない。これにより、従来の、物理的絶縁の役割を担っていたブチルテープの使用を排除できる。
【００１６】
また、本発明による目地埋め材は、硬化後に外部に出る物質を含まない。すなわち施工後に化学反応性が消失し、可塑剤等が溶出するような現象が起きない。従って、タイル接着剤に好ましくない物質が浸透することがない。これにより、従来の、化学的絶縁の役割を担っていたブチルテープの使用を排除できる。
【００１７】
本発明による目地埋め材を用いることにより、従来のブチルテープの使用を排除できるので、外装板を下地とするタイル施工において、タイルの位置が外装材の目地の位置に制約されることがなくなる。よって、タイル施工の自由度と作業性が向上する。
【図面の簡単な説明】
【００１８】
【図１】図１は、本発明による外装板の目地埋め材を用いた施工例であり、（ａ）は通気層付外断熱パネルを用いて行ったタイル施工の水平断面図であり、（ｂ）はその正面図である。
【図２】図２は、本発明による外装板の目地埋め材を用いた別の施工例であり、通気層工法を用いて行ったタイル施工の水平断面図である。
【図３】図３は、本発明による外装板の目地埋め材を用いた施工例であり、通気層付外断熱パネルを用いて行った塗装仕上げ施工の水平断面図である。
【図４】図４は、一例として通気層付外断熱パネルの外装板に窯業系タイルを施工する従来工法を示した水平断面図である。
【発明を実施するための形態】
【００１９】
以下、本発明を適用した施工例を示した図面を参照しつつ、本発明の実施形態を説明する。上述した従来工法を示す図４を含む全図において、同一又は類似の構成要素には同じ符号を付している。
【００２０】
図１は、本発明による外装板の目地埋め材を用いた施工例であり、（ａ）は通気層付外断熱パネルを用いて行ったタイル施工の水平断面図であり、（ｂ）はその正面図である。
【００２１】
通気層付断熱パネル１０は、パネル状の断熱材１２と外装板１４が接合されて一体化され、これらの間の適宜箇所に上下左右方向に貫通する通気層１３が形成された製品である。通気層付外断熱パネル１０は、コンクリートの同時打込みによりコンクリート躯体３０に対し強固に固定される。なお、別の例として、通気層付外断熱パネル１０をコンクリート躯体３０に後張りしてもよい。隣り合う通気層付外断熱パネル１０相互の継ぎ目において、断熱材１２相互の目地には、例えば厚さ１０ｍｍの目地棒１５を挟み込み、雇い実材１６を差し渡す。
【００２２】
外装板１４相互の目地には、従来のシーリング材とは異なる目地埋め材１１が充填される。目地埋め材１１は、シーリングガンを用いて目地に充填され、ヘラで均して表面を平滑に仕上げられる。目地埋め材１１の詳細については後述する。
【００２３】
目地埋め材１１が硬化した後、外装板１４の目地の部分及び外装板１４の上にタイル接着剤２２を櫛引で塗布し、タイル２４を圧着して貼り付ける。最後に、タイル目地モルタル２３を適宜充填する。
【００２４】
本発明では、タイル２４を貼り付ける際、外装板１４の目地（目地埋め材１１）の位置とは関係なくタイル２４を位置決めして貼り付けることができる。すなわち、外装板１４の目地を１つのタイル２４のみが跨くように施工しても、何ら支障がない。本発明は、従来のシーリング材とは異なる目地埋め材１１を用いることにより、従来のブチルテープの使用を排除し、外装板１４の目地の位置に制約されることなくタイル施工することを実現した。
【００２５】
ここで、本発明の目地埋め材１１について説明する。目地埋め材１１は、所定の物理的及び化学的性能を有するとともに、実際の施工において問題となる点を極力排除したものが適している。
【００２６】
目地埋め材１１に求められる化学的性能は、硬化後に化学反応が完全に停止し、可塑剤の溶出等を起こさないことである。すなわち硬化後に外に出るような物質を含まないことである。
【００２７】
目地埋め材１１に求められる物理的性能は、硬化後に剛体となることである。好適には、次の物理的性能を備える。第１に、目地埋め材１１の硬化後の圧縮強度及び引張強度を、外装板１４の圧縮強度及び引張強度以上とする。第２に、目地埋め材１１の剥離強度を、外装板１４の材料破壊強度以上とする。つまり、目地埋め材１１は、界面剥離を起こさないものとする。これにより、目地埋め材１１は、従来の柔軟なワーキングジョイントではなく、剛性をもったノンワーキングジョイントとして機能することができる。
【００２８】
目地埋め材１１の具体例として、エポキシ系接着剤が好適である。エポキシ系接着剤は、セメント系材料より比重が軽いので、例えば１０ｍｍ以上の厚さで目地に充填しても自重でだれることがない。さらに、適度な粘度を有するので、一般的な目地充填施工道具であるシーリングガンに詰めて施工できる。加えて、エポキシ系接着剤は水分を含まないため、冬期の施工でも氷結して組成破壊を起こすおそれが少ない。
【００２９】
エポキシ系接着剤による目地埋め材１１の一実施例において、目地埋め材１１及び外装板１４のそれぞれの圧縮試験及び引張試験を行った。その結果、外装板１４の圧縮強度及び引張強度以上の圧縮強度及び引張強度を有する目地埋め材１１を調製可能であるとを確認した。
【００３０】
また、上記性能を有する目地埋め材１１の一実施例において、想定する温度伸縮応力と温度伸縮量についても、所定の性能を充足することを確認した。具体的には次の通りである。
【００３１】
年間温度差の大きい北海道旭川市の通年気象データの平年最高外気温、平年最低外気温に日射量を加味した温度差を使用した。この場合、目地収縮側（外装板が温度膨張して目地が潰れる）で温度差５３℃、目地膨張側（外装板が温度収縮して目地が広がる）で温度差６８℃を想定し、使用している外装板１４の既知の物性値である線膨張率と弾性率から計算される伸縮応力に対し、実測から求めた目地埋め材１１の圧縮強度及び引張強度を比較した。この結果、目地埋め材１１の実施例は、圧縮で５．３倍、引張で１．３倍の安全率があった。また、同伸縮応力に対する変形量が０．２ｍｍ程度でほとんど変形しないことを確認した。また、一般的なタイル接着剤２２のひずみ許容量２．０〜３．０ｍｍ、そして北海道中心で使用されている「外断熱工法構造設計指針（一般社団法人北海道建築技術協会編）」の基準である外断熱工法構成部材の許容変形量１．０ｍｍ以内を大きくクリアし、支障がないことを確認した。
【００３２】
図２は、本発明による外装板の目地埋め材を用いた別の施工例であり、通気層工法を用いて行ったタイル施工の水平断面図である。
【００３３】
通気層工法は、それぞれ単独の断熱パネル１２と外装板１４の間に通気胴縁１７を挟み設置することにより通気層１３を設ける工法である。この例では、外装板１４の目地において、通気胴縁１７と外装板１４の間にハット型ジョイナー１８を設置する。
【００３４】
その後、図１に示した施工例と同様に、外装板１４相互の目地に目地埋め材１１を充填し、目地埋め材１１の硬化後、タイル施工を行う。
【００３５】
本発明の目地埋め部材を用いる施工方法は、いずれの場合も通気層を有する構成におけるものであるが、外装板の目地の細部構成が異なる種々の施工方法がある。本発明の主な原理は、通気層を有する構成における外装板の目地を、剛性をもったノンワーキングジョイントとすることにある。この原理に沿う限り、上記施工例以外にも多様なバリエーションが考えられる。
【００３６】
図３は、本発明による外装板の目地埋め材を用いた施工例であり、通気層付外断熱パネルを用いて行った塗装仕上げ施工の水平断面図である。
【００３７】
先ず、図１に示した施工例と同様に、通気層付外断熱パネル１０の固定後、隣り合う外装板１４相互の目地に目地埋め材１１を充填する。次に、目地埋め材の硬化後、外装板１４の目地の部分及び外装板１４の上に塗装２６を施す。
【００３８】
塗装仕上げとした場合、従来のワーキングジョイントである目地に塗材を被せる施工方法に比べ、本発明のノンワーキングジョイントである目地の部分の方が耐久性の点で優る。
【００３９】
本発明の外装板の目地埋め材は、外装板の種類、材質、性能やその外装板を構成する外断熱工法全体の構成等によって、圧縮強度、引張強度及び剥離強度等の物理的特性を適宜設定される。また、実際の施工においては、構造上、ノンワーキングジョイントの方が有利な箇所に対し本発明の目地埋め材を適用することとなる。耐震構造上必要な耐震スリットや、地震時に負荷が集中する開口廻り目地又は入隅目地等については、原則、目地埋め材を充填しない。
【符号の説明】
【００４０】
１０  通気層付外断熱パネル
１１  （外装板の）目地埋め材
１２  断熱材
１３  通気層
１４  外装板
１５  目地棒
１６  雇い実材
１７  通気胴縁
１８  ハット型ジョイナー
２２  タイル接着剤
２３  タイル目地モルタル
２４  タイル
２５  タイル目地のシーリング
２６  塗装
３０  コンクリート躯体
１１１  シーリング材
１２１  ブチルテープ
【図１】
2017031756.tif 000003
【図２】
2017031756.tif 000004
【図３】
2017031756.tif 000005
【図４】
2017031756.tif 000006